(57)【要約】      （修正有）【課題】筒状部と蓋部材との境界部の溝に釣り糸が落ち込むことを防止するスピニングリールの提供。【解決手段】スピニングリールは、リール本体部と、蓋部材とを備える。リール本体部は、収容空間を含む収容部、収容部の側面に形成される開口部、及び収容部の前方に配置される筒状部２３、を有する。蓋部材３は、開口部を封鎖する蓋本体部３１、及び蓋本体部３１から前方に突出する突出部３２、を有する。突出部３２は、側面視において筒状部２３と重複する。【選択図】図４
2019080505.tif 000002
【特許請求の範囲】
【請求項１】
前方に釣り糸を繰り出すスピニングリールであって、
収容空間を含む収容部、前記収容部の側面に形成される開口部、及び前記収容部の前方に配置される筒状部、を有するリール本体部と、
前記開口部を封鎖する蓋本体部、及び前記蓋本体部から前方に突出する突出部、を有する前記蓋部材と、
を備え、
前記突出部は、側面視において前記筒状部と重複する、
スピニングリール。
【請求項２】
前記筒状部は、外周面上に形成された凹部を有し、
前記突出部は、前記凹部内に収容される、
請求項１に記載のスピニングリール。
【請求項３】
前記突出部の外側面は、前記筒状部の外周面と面一である、
請求項１又は２に記載のスピニングリール。
【請求項４】
前記突出部の外側面は、前記蓋本体部の外側面と同一面上にある、
請求項１から３のいずれかに記載のスピニングリール。
【請求項５】
前記蓋部材は、前記突出部と前記蓋本体部との境界部の内側面から延びる壁部をさらに有し、
前記筒状部は、前記壁部と対向する底部を有する、
請求項１から４のいずれかに記載のスピニングリール。
【発明の詳細な説明】
【技術分野】
【０００１】
本発明は、スピニングリールに関するものである。
【背景技術】
【０００２】
スピニングリールは、リール本体、ロータ、スプール、及びハンドルを備えている。ハンドルを回転させると、ロータが回転してスプールに釣り糸を巻き付ける。
【０００３】
リール本体は、リール本体部と、蓋部材とを有する。リール本体部は、内部に収容空間を有し、駆動機構、及びオシレーティング機構などを収容している。また、リール本体部は、側面に開口部を有する。この開口部は、蓋部材によって封鎖される。リール本体部は、筒状部を前部に有する。この筒状部に、ワンウェイクラッチなどが装着される。
【先行技術文献】
【特許文献】
【０００４】
【特許文献１】特開２０１５−１３６３３８号公報
【発明の概要】
【発明が解決しようとする課題】
【０００５】
上述したような構成のスピニングリールは、図６に示すように、筒状部２３０と蓋部材３０との境界部に形成される溝４０が、釣糸の巻き付け方向、すなわち、筒状部２３０の円周方向に、略平行に直線状に延びている。このため、フランジ部が形成されていない場合などは、この境界部に形成される溝４０に釣り糸が落ち込むおそれがあるという問題がある。そこで、本発明の課題は、筒状部と蓋部材との境界部の溝に釣り糸が落ち込むことを防止することにある。
【課題を解決するための手段】
【０００６】
本発明のある側面に係るスピニングリールは、前方に釣り糸を繰り出すように構成されている。このスピニングリールは、リール本体部と、蓋部材とを備える。リール本体部は、収容空間を含む収容部、収容部の側面に形成される開口部、及び収容部の前方に配置される筒状部、を有する。蓋部材は、開口部を封鎖する蓋本体部、及び蓋本体部から前方に突出する突出部、を有する。突出部は、側面視において筒状部と重複する。
【０００７】
この構成によれば、突出部が側面視において筒状部と重複しているため、突出部は、釣り糸の巻き付け方向に直線状に延びる溝に対して、横断するように延びる。このため、釣り糸が溝に落ち込むことを防止することができる。
【０００８】
好ましくは、筒状部は、外周面上に形成された凹部を有する。そして、突出部は、凹部内に収容される。
【０００９】
好ましくは、突出部の外側面は、筒状部の外周面と面一である。
【００１０】
好ましくは、突出部の外側面は、蓋本体部の外側面と同一面上にある。
【００１１】
好ましくは、蓋部材は、突出部と蓋本体部との境界部の内側面から延びる壁部をさらに有する。そして、筒状部は、壁部と対向する底部を有する。
【発明の効果】
【００１２】
本発明によれば、筒状部と蓋部材との境界部の溝に釣り糸が落ち込むことを防止できる。
【図面の簡単な説明】
【００１３】
【図１】スピニングリールの側面図。
【図２】リール本体部の側面図。
【図３】蓋部材の側面図。
【図４】リール本体の拡大側面図。
【図５】図４のＶ−Ｖ線断面図。
【図６】従来技術に係るリール本体の断面図。
【発明を実施するための形態】
【００１４】
以下、本発明に係るスピニングリールの実施形態について図面を参照しつつ説明する。図１はスピニングリール１００の側面図である。なお、本明細書において、釣り糸が繰り出される方向を「前」と称し、釣り糸が巻き取られる方向を「後」と称する。また。釣竿に装着された状態において釣竿に近付く方向を「上」、釣竿から離れる方向を「下」と称する。
【００１５】
［全体構成］
図１に示すように、スピニングリール１００は、リール本体１１０、スプール１２０、ロータ１３０、ハンドル１４０、及び釣糸案内機構１５０を備えている。スピニングリール１００は、前方に釣り糸を繰り出すように構成されている。
【００１６】
［リール本体の概要］
リール本体１１０は、内部に収容空間を有しており、種々の機構を収容している。例えば、リール本体１１０は、ロータ１３０を回転させるロータ駆動機構（図示省略）、及びスプール１２０を前後移動させるオシレーティング機構（図示省略）などを収容している。リール本体１１０の詳細については後述する。
【００１７】
［スプール］
スプール１２０は、釣糸が巻き付けられる部材である。スプール１２０は、略円筒状である。ハンドル１４０を回転させると、スプール１２０は前後方向に往復移動する。スプール１２０は、糸巻胴部１２１及びスカート部１２２を有する。糸巻胴部１２１は、円筒状であり、外周面に釣り糸が巻き付けられる。スカート部１２２は、円筒状であり、糸巻胴部１２１よりも径が大きい。
【００１８】
［ロータ及び釣糸案内機構］
ロータ１３０は、スプール１２０に釣糸を巻き付けるための部材である。釣糸案内機構１５０は、釣糸をスプール１２０へと案内する機構である。ハンドル１４０を回転させると、ロータ１３０はスプール１２０の中心軸を中心に回転する。そして、ロータ１３０とともに回転する釣糸案内機構１５０は、釣糸をスプール１２０へと案内する。
【００１９】
ロータ１３０は、ロータ本体部１３１と、一対のロータアーム１３２を有している。ロータ本体部１３１は、円筒状である。ロータ本体部１３１は、後端部を除いて、スカート部１２２内に配置される。
【００２０】
一対のロータアーム１３２は、ロータ本体部１３１の外周面から前方に向かって延びている。一対のロータアーム１３２は、ロータ本体部１３１の周方向において、互いに反対側の位置に配置されている。そして、釣糸案内機構１５０は、一対のロータアーム１３２に、揺動可能に取り付けられている。
【００２１】
［リール本体の詳細］
リール本体１１０は、リール本体部２及び蓋部材３を有している。リール本体１１０には、ハンドル１４０が回転可能に取り付けられる。また、リール本体１１０は、釣竿に装着される。
【００２２】
［リール本体部］
図２に示すように、リール本体部２は、収容部２１、開口部２２、筒状部２３、及び取付脚２４を有する。収容部２１、筒状部２３、及び取付脚２４は、1つの部材によって形成されている。
【００２３】
収容部２１は、内部に収容空間を有する。この収容部２１の収容空間内に、上述したロータ駆動機構及びオシレーティング機構などが収容される。収容部２１から取付脚２４が上方に延びている。この取付脚２４は、釣竿に装着されるように構成されている。
【００２４】
開口部２２は、収容部２１の側面に形成される。開口部２２は、収容空間を外部空間に開口する。開口部２２は、収容部２１の側面全体に形成されている
【００２５】
筒状部２３は、収容部２１の前方に配置される。筒状部２３は、円筒状である。筒状部２３は、ロータ１３０のロータ本体部１３１内に配置される。
【００２６】
筒状部２３は、外周面上に形成された凹部２３１を有する。凹部２３１は、筒状部２３の外周面上において、開口部２２が形成される側に形成される。凹部２３１は、後方に向かって開口する。
【００２７】
筒状部２３の下端面は、収容部２１の下端面よりも下方に位置している。また、リール本体部２において、筒状部２３の下端面が最も下側に位置する。筒状部２３と収容部２１との間には円板状のフランジ部は形成されない。
【００２８】
［蓋部材］
図１に示すように、蓋部材３は、リール本体部２の開口部２２を封鎖するように構成されている。図３に示すように、蓋部材３は、蓋本体部３１及び突出部３２を有する。なお、蓋部材３は、ロータ本体部１３１との隙間を埋めるための円板状のフランジ部を有していない。
【００２９】
蓋本体部３１は、開口部２２を封鎖する。蓋本体部３１は、開口部２２の一回り大きい形状を有する。蓋本体部３１は、例えば、ボルトなどによって、リール本体部２に固定される。
【００３０】
突出部３２は、蓋本体部３１から前方に突出する。図４に示すように、突出部３２は、側面視において筒状部２３と重複する。突出部３２が筒状部２３と重複する長さＬは、前後方向において、２〜３ｍｍ程度である。突出部３２は、筒状部２３の凹部２３１内に収容される。突出部３２及び凹部２３１は、側面視において、例えば矩形状である。
【００３１】
図５に示すように、突出部３２の外側面は、筒状部２３の外周面と面一である。なお、突出部３２の外側面と、筒状部２３の外周面とは、完全に面一でなくてもよい。例えば、突出部３２の外側面と、筒状部２３の外周面との間に、０．５〜１ｍｍ程度の段差があってもよい。なお、突出部３２の厚さｔは、例えば、２．５〜３．５ｍｍ程度である。
【００３２】
突出部３２の外側面は、蓋本体部３１の外側面と同一面上にある。すなわち、突出部３２と蓋本体部３１との間に段差部が形成されていない。突出部３２と蓋本体部３１とは、互いに滑らかに繋がっている。このように、蓋部材３は、ロータ本体部１３１との隙間を埋めるための円板状のフランジ部を有していない。なお、蓋部材３は、円板状のフランジ部を有していてもよい。
【００３３】
蓋部材３は、突出部３２と蓋本体部３１との境界部の内側面から延びる壁部３３をさらに有している。そして、筒状部２３は、壁部３３と対向する底部２３２を有する。
【００３４】
［変形例］
以上、本発明の実施形態について説明したが、本発明はこれらに限定されるものではなく、本発明の趣旨を逸脱しない限りにおいて種々の変更が可能である。
【００３５】
変形例１
上記実施形態では、蓋部材３は、１つの突出部３２を有しているが、複数の突出部３２を有していてもよい。
【００３６】
変形例２
上記実施形態では、蓋部材３の突出部３２は、凹部２３１内に収容されているが、この構成に限定されない。例えば、筒状部２３は、凹部２３１を有していなくてもよい。この場合、突出部３２は、筒状部２３の外周面の一部を覆うように配置される。
【符号の説明】
【００３７】
１００    スピニングリール
２    リール本体部
２１    収容部
２２    開口部
２３    筒状部
２３１    凹部
３    蓋部材
３１    蓋本体部
３２    突出部
【図１】
2019080505.tif 000003
【図２】
2019080505.tif 000004
【図３】
2019080505.tif 000005
【図４】
2019080505.tif 000006
【図５】
2019080505.tif 000007
【図６】
2019080505.tif 000008